(57)【要約】【課題】壁材設置の障害となることを回避しつつ、配設体が軽量形鋼材より壁表側に突出しないように配設体を軽量形鋼材に設置する作業を容易に行うことを可能とする配設体の取付台座及び設置方法を提供する。【解決手段】取付台座３０は、一方向への幅が軽量形鋼材Ｐの幅以下に形成された台座本体３１を有している。台座本体３１は、一面に取付突部３６を備えるとともに、前記一面に対向する他面に、軽量形鋼材Ｐのリップ部Ｐｄに当接させる当接面３３を備える。さらに、台座本体３１は、当接面３３に対し直交するように延設され、前記当接面３３をリップ部Ｐｄに当接させた状態で側板部Ｐｃに当接する突出部３２を備える。そして、突出部３２は、該突出部３２を台座本体３１から分断する際に機能する分断補助部（被把持部３２ｂ及び挿入凹所３２ｃ）を備える。【選択図】図５
2008082148.tif 000002
【特許請求の範囲】
【請求項１】
複数の軽量形鋼材を間隔をおいて立設し、前記複数の軽量形鋼材を挟むように壁材を立設してなる軽量間仕切壁内に配設される配設体を前記軽量形鋼材に設置するために、前記配設体が取り付けられるとともに前記軽量形鋼材に固定される配設体の取付台座であって、
台座本体の一面に前記配設体を取付可能とする取付部を備えるとともに、前記一面に対向する他面に、前記軽量形鋼材の壁部に当接させる当接面を備え、さらに、前記台座本体の端面から前記当接面に対し直交するように延設され、前記当接面を前記軽量形鋼材の壁部に当接させた状態で、前記軽量形鋼材において前記当接面が当接された壁部に対して隣接し、かつ直交する壁表側の別の壁部に当接する突出部を台座本体に備え、前記突出部を台座本体から分断するために機能する分断補助部を突出部に備えた配設体の取付台座。
【請求項２】
複数の軽量形鋼材を間隔をおいて立設し、前記複数の軽量形鋼材を挟むように壁材を立設してなる軽量間仕切壁内に配設される配設体を前記軽量形鋼材に設置するために、前記配設体が取り付けられるとともに前記軽量形鋼材に固定される配設体の取付台座であって、
台座本体の一面に前記配設体を取付可能とする取付部を備えるとともに、前記一面に対向する他面に、前記軽量形鋼材の壁部に当接させる当接面を備え、さらに、前記台座本体の端面から前記当接面に対し直交するように延設され、前記当接面を前記軽量形鋼材の壁部に当接させた状態で、前記軽量形鋼材において前記当接面が当接された壁部に対して隣接し、かつ直交する壁表側の別の壁部に当接する突出部を台座本体に備え、前記別の壁部に当接した突出部を該別の壁部から排除するために前記突出部を前記取付部に向けて回動可能に構成した配設体の取付台座。
【請求項３】
前記軽量形鋼材を手により掴んだとき、前記突出部を軽量形鋼材の別の壁部に押し当てるために、前記突出部を手により押圧可能なサイズに形成した請求項１又は請求項２に記載の配設体の取付台座。
【請求項４】
前記分断補助部は、前記突出部の先端側に設けられ、把持工具によって把持可能に形成された被把持部である請求項１〜請求項３のうちいずれか一項に記載の配設体の取付台座。
【請求項５】
前記分断補助部は、前記当接面を軽量形鋼材の壁部に当接させるとともに前記突出部を軽量形鋼材の壁表側の別の壁部に当接させた状態において、該突出部と別の壁部との間に工具の先端を挿入可能とするために突出部に凹設された挿入凹所である請求項１〜請求項４のうちいずれか一項に記載の配設体の取付台座。
【請求項６】
前記当接面を軽量形鋼材の壁部に当接させるとともに前記突出部を軽量形鋼材の壁表側の別の壁部に当接させたとき、前記台座本体において、前記当接面が当接した壁部に対応する位置には、台座本体を軽量形鋼材に固定する固定部材を挿通可能な固定孔が形成されている請求項１〜請求項５のうちいずれか一項に記載の配設体の取付台座。
【請求項７】
前記当接面が当接される軽量形鋼材の壁部は、該軽量形鋼材の立設方向へ延びる開口部を形成する一対のリップ部よりなり、前記固定孔は、前記軽量間仕切壁の壁表側に位置する一方のリップ部と対向する位置に形成されている請求項６に記載の配設体の取付台座。
【請求項８】
前記配設体は、隣り合う軽量形鋼材の間に架設される下地材である請求項１〜請求項７のうちいずれか一項に記載の取付台座。
【請求項９】
複数の軽量形鋼材を間隔をおいて立設し、前記複数の軽量形鋼材を挟むように壁材を立設してなる軽量間仕切壁内に配設される配設体を前記軽量形鋼材に設置するために、前記配設体が取り付けられる取付台座の前記軽量形鋼材への設置方法であって、
前記取付台座は、台座本体の一面に前記配設体を取付可能とする取付部を備えるとともに、前記一面に対向する他面に、前記軽量形鋼材の壁部に当接させる当接面を備えており、
前記当接面を軽量形鋼材の壁部に当接させ、前記台座本体の端面から前記当接面に対し直交するように延設された突出部を前記軽量形鋼材において前記当接面が当接された壁部に対して隣接し、かつ直交する壁表側の別の壁部に当接させ、台座本体を固定部材によって軽量形鋼材に固定した後、突出部を台座本体から分断し、突出部を台座本体から除去する配設体の取付台座の設置方法。
【請求項１０】
複数の軽量形鋼材を間隔をおいて立設し、前記複数の軽量形鋼材を挟むように壁材を立設してなる軽量間仕切壁内に配設される配設体を前記軽量形鋼材に設置するために、前記配設体が取り付けられる取付台座の前記軽量形鋼材への設置方法であって、
前記取付台座は、台座本体の一面に前記配設体を取付可能とする取付部を備えるとともに、前記一面に対向する他面に、前記軽量形鋼材の壁部に当接させる当接面を備えており、
前記当接面を軽量形鋼材の壁部に当接させ、前記台座本体の端面から前記当接面に対し直交するように延設された突出部を前記軽量形鋼材において前記当接面が当接された壁部に対して隣接し、かつ直交する壁表側の別の壁部に当接させ、台座本体を固定部材によって軽量形鋼材に固定した後、突出部を前記取付部に向けて回動させる配設体の取付台座の設置方法。
【発明の詳細な説明】
【技術分野】
【０００１】
本発明は、軽量間仕切壁内に配設される配設体が取り付けられるとともに軽量形鋼材に固定される配設体の取付台座及び設置方法に関する。
【背景技術】
【０００２】
軽量間仕切壁は、間隔をおいて立設された複数の軽量形鋼材を挟むように壁材が立設されて構築されるものである。この軽量間仕切壁内には、該軽量間仕切壁に設置される配線器具を収容する配線ボックス、配線ボックスを軽量形鋼材に取り付けるためのボックス固定具、管類・ケーブル類といった長尺物を軽量形鋼材に沿わせて配設するための長尺物保持具といった各種配設体が配設されるようになっている。
【０００３】
前記配設体は軽量形鋼材に取り付けられ、該軽量形鋼材への取付状態では、配設体は軽量形鋼材における壁表側の壁面（以下、前面とする）から壁表側へ突出せず、該配設体が後の壁材設置の障害とならないように軽量形鋼材に取り付けられる。例えば、前記配線ボックスが軽量形鋼材に取り付けられる場合は、配線ボックスの前面が前記軽量形鋼材の前面と略同一平面上に位置し、配線ボックスが軽量形鋼材の前面から壁表側へ突出しないように軽量形鋼材に取り付けられる。そして、特許文献１には、配線ボックスの前面を軽量形鋼材の前面と略同一平面上に位置させた状態を維持しながら、配線ボックスの軽量形鋼材への取付を可能にする技術が開示されている。
【０００４】
特許文献１に記載の配線ボックスは、前面に開口を有する有底四角箱状に形成されたボックス本体を備え、互いに対向する一対の側壁のうちの一方の側壁には、長孔状をなすビス貫通孔が形成されている。また、前記一対の側壁にて、ボックス本体の前面側の端面には、軽量形鋼材（造営材）の角部に係合可能な一対の係合突片が外方へ向けて突設されている。
【０００５】
そして、特許文献１に記載の配線ボックスを軽量形鋼材に取り付ける際に、軽量形鋼材の角部（丸み部）に一対の係合突片を係合させることで、ボックス本体の前面と軽量形鋼材の前面とを略同一平面上に位置させた状態を維持することができる。その後、前記ビス貫通孔から軽量形鋼材に止めねじを固定して配線ボックスが軽量形鋼材に取り付けられる。配線ボックスが軽量形鋼材に取り付けられた状態では、軽量形鋼材の前面から前側へは係合突片は突出しておらず、該係合突片すなわち配線ボックスが壁材設置の障害となることが防止される。
【０００６】
また、配設体として、前記ボックス固定具が軽量形鋼材に取り付けられる場合は、該ボックス固定具に取り付く配線ボックスの前面が前記軽量形鋼材の前面と略同一平面上に位置し、さらに、ボックス固定具そのものが軽量形鋼材の前面から壁表側へ突出しないように軽量形鋼材に取り付けられる（例えば、特許文献２参照）。特許文献２に開示のボックス固定具は、一対の固定具単体を備え、一方の固定具単体の内側に他方の固定具単体が嵌合されて一体に組み付けられている。そして、固定具単体は、相互にスライド可能であり、ボックス固定具の全長を自在に調整可能となっている。また、各固定具単体は、ボックス取付面を有しているとともに、該ボックス取付面には、固定具単体の長さ方向に沿って多数のスリットが断続的に形成されている。また、各固定具単体における長さ方向の一端部には、各固定具単体を軽量形鋼材へ取り付けるための取付板部が設けられている。
【０００７】
そして、特許文献２に開示のボックス固定具を軽量形鋼材に取り付けるには、まず、一対の固定具単体を相互にスライドさせ、隣り合う軽量形鋼材間にボックス固定具が介装されるようにボックス固定具の全長を調整する。次いで、ゲージ具を用いて、各固定具単体の取付板部の軽量形鋼材に対する取付位置を求め、該取付位置にマーキングをして取付位置を表示させる。すなわち、ボックス固定具に対する配線ボックスの取付状態で、該配線ボックスの前面と軽量形鋼材の前面とが略同一平面上に位置し（配線ボックスが軽量形鋼材の前面から前側へ突出しない）、配線ボックスが壁材設置の障害とならないように、取付板部の軽量形鋼材に対する取付位置を表示させる。このとき、ボックス固定具も壁材設置の障害とならないように、前記取付位置が表示される。
【０００８】
そして、各取付位置に各固定具単体の取付板部を位置合わせし、各取付板部に貼着された両面テープによって各取付位置に取付板部を仮固定し、その後、タッピンねじによって各取付板部を軽量形鋼材に固定する。その後、ボックス取付面に配線ボックスの底壁が固定され、配線ボックスの前面と軽量形鋼材の前面とが略同一平面上に位置するように軽量形鋼材に取り付けられる。
【特許文献１】特開平１１−２７５７３２号公報
【特許文献２】特開平１０−２１９８８７号公報
【発明の開示】
【発明が解決しようとする課題】
【０００９】
しかし、特許文献１に記載の配線ボックスにおいて、係合突片は配線ボックスの側壁から外方へ僅かに突出しているだけであり、軽量形鋼材の角部のみに係合可能な構成であるため、係合突片による軽量形鋼材に対する係合が不安定である。さらに、軽量形鋼材は金属製であるため、配線ボックスは軽量形鋼材に対して滑りやすい。このため、係合突片と角部との係合が崩れて配線ボックスが軽量形鋼材の幅方向に対して移動しやすく、配線ボックスが軽量形鋼材より壁表側へ突出しないように該配線ボックスを軽量形鋼材に取り付ける作業が非常に行いにくいという問題があった。
【００１０】
また、特許文献２に開示のボックス固定具においては、ボックス固定具を軽量形鋼材に取り付ける際、配線ボックスの前面と軽量形鋼材の前面とが略同一平面上に位置し、かつボックス固定具が軽量形鋼材の前面より壁表側へ突出しないように取付板部を軽量形鋼材へ取り付ける必要がある。このため、特許文献２のボックス固定具の軽量形鋼材への取付時には、上述したような取付板部の取付位置を求めるためにゲージ具を必要とし、ボックス固定具の取付作業が非常に面倒であった。
【００１１】
本発明は、前記従来の問題に鑑みてなされたものであって、その目的は、壁材設置の障害となることを回避しつつ、配設体が軽量形鋼材より壁表側に突出しないように配設体を軽量形鋼材に設置する作業を容易に行うことを可能とする配設体の取付台座及び取付台座の設置方法を提供することにある。
【課題を解決するための手段】
【００１２】
上記問題点を解決するために、請求項１に記載の発明は、複数の軽量形鋼材を間隔をおいて立設し、前記複数の軽量形鋼材を挟むように壁材を立設してなる軽量間仕切壁内に配設される配設体を前記軽量形鋼材に設置するために、前記配設体が取り付けられるとともに前記軽量形鋼材に固定される配設体の取付台座であって、台座本体の一面に前記配設体を取付可能とする取付部を備えるとともに、前記一面に対向する他面に、前記軽量形鋼材の壁部に当接させる当接面を備え、さらに、前記台座本体の端面から前記当接面に対し直交するように延設され、前記当接面を前記軽量形鋼材の壁部に当接させた状態で、前記軽量形鋼材において前記当接面が当接された壁部に対して隣接し、かつ直交する壁表側の別の壁部に当接する突出部を台座本体に備え、前記突出部を台座本体から分断するために機能する分断補助部を突出部に備えたことを要旨とする。
【００１３】
請求項２に記載の発明は、複数の軽量形鋼材を間隔をおいて立設し、前記複数の軽量形鋼材を挟むように壁材を立設してなる軽量間仕切壁内に配設される配設体を前記軽量形鋼材に設置するために、前記配設体が取り付けられるとともに前記軽量形鋼材に固定される配設体の取付台座であって、台座本体の一面に前記配設体を取付可能とする取付部を備えるとともに、前記一面に対向する他面に、前記軽量形鋼材の壁部に当接させる当接面を備え、さらに、前記台座本体の端面から前記当接面に対し直交するように延設され、前記当接面を前記軽量形鋼材の壁部に当接させた状態で、前記軽量形鋼材において前記当接面が当接された壁部に対して隣接し、かつ直交する壁表側の別の壁部に当接する突出部を台座本体に備え、前記別の壁部に当接した突出部を該別の壁部から排除するために前記突出部を前記取付部に向けて回動可能に構成したことを要旨とする。
【００１４】
請求項３に記載の発明は、請求項１又は請求項２に記載の配設体の取付台座において、前記軽量形鋼材を手により掴んだとき、前記突出部を軽量形鋼材の別の壁部に押し当てるために、前記突出部を手により押圧可能なサイズに形成したことを要旨とする。
【００１５】
請求項４に記載の発明は、請求項１〜請求項３のうちいずれか一項に記載の配設体の取付台座において、前記分断補助部は、前記突出部の先端側に設けられ、把持工具によって把持可能に形成された被把持部であることを要旨とする。
【００１６】
請求項５に記載の発明は、請求項１〜請求項４のうちいずれか一項に記載の配設体の取付台座において、前記分断補助部は、前記当接面を軽量形鋼材の壁部に当接させるとともに前記突出部を軽量形鋼材の壁表側の別の壁部に当接させた状態において、該突出部と別の壁部との間に工具の先端を挿入可能とするために突出部に凹設された挿入凹所であることを要旨とする。
【００１７】
請求項６に記載の発明は、請求項１〜請求項５のうちいずれか一項に記載の配設体の取付台座において、前記当接面を軽量形鋼材の壁部に当接させるとともに前記突出部を軽量形鋼材の壁表側の別の壁部に当接させたとき、前記台座本体において、前記当接面が当接した壁部に対応する位置には、台座本体を軽量形鋼材に固定する固定部材を挿通可能な固定孔が形成されていることを要旨とする。
【００１８】
請求項７に記載の発明は、請求項６に記載の配設体の取付台座において、前記当接面が当接される軽量形鋼材の壁部は、該軽量形鋼材の立設方向へ延びる開口部を形成する一対のリップ部よりなり、前記固定孔は、前記軽量間仕切壁の壁表側に位置する一方のリップ部と対向する位置に形成されていることを要旨とする。
【００１９】
請求項８に記載の発明は、請求項１〜請求項６のうちいずれか一項に記載の配設体の取付台座において、前記配設体は、隣り合う軽量形鋼材の間に架設される下地材であることを要旨とする。
【００２０】
請求項９に記載の発明は、複数の軽量形鋼材を間隔をおいて立設し、前記複数の軽量形鋼材を挟むように壁材を立設してなる軽量間仕切壁内に配設される配設体を前記軽量形鋼材に設置するために、前記配設体が取り付けられる取付台座の前記軽量形鋼材への設置方法であって、前記取付台座は、台座本体の一面に前記配設体を取付可能とする取付部を備えるとともに、前記一面に対向する他面に、前記軽量形鋼材の壁部に当接させる当接面を備えており、前記当接面を軽量形鋼材の壁部に当接させ、前記台座本体の端面から前記当接面に対し直交するように延設された突出部を前記軽量形鋼材において前記当接面が当接された壁部に対して隣接し、かつ直交する壁表側の別の壁部に当接させ、台座本体を固定部材によって軽量形鋼材に固定した後、突出部を台座本体から分断し、突出部を台座本体から除去することを要旨とする。
【００２１】
請求項１０に記載の発明は、複数の軽量形鋼材を間隔をおいて立設し、前記複数の軽量形鋼材を挟むように壁材を立設してなる軽量間仕切壁内に配設される配設体を前記軽量形鋼材に設置するために、前記配設体が取り付けられる取付台座の前記軽量形鋼材への設置方法であって、前記取付台座は、台座本体の一面に前記配設体を取付可能とする取付部を備えるとともに、前記一面に対向する他面に、前記軽量形鋼材の壁部に当接させる当接面を備えており、前記当接面を軽量形鋼材の壁部に当接させ、前記台座本体の端面から前記当接面に対し直交するように延設された突出部を前記軽量形鋼材において前記当接面が当接された壁部に対して隣接し、かつ直交する壁表側の別の壁部に当接させ、台座本体を固定部材によって軽量形鋼材に固定した後、突出部を前記取付部に向けて回動させることを要旨とする。
【発明の効果】
【００２２】
本発明によれば、壁材設置の障害となることを回避しつつ、配設体が軽量形鋼材より壁表側に突出しないように配設体を軽量形鋼材に設置する作業を容易に行うことを可能とする。
【発明を実施するための最良の形態】
【００２３】
（第１の実施形態）
以下、本発明の配設体の取付台座及び設置方法を配線ボックスの取付台座及びその設置方法に具体化した第１の実施形態を図１〜図８にしたがって説明する。なお、以下の説明において配線ボックス及び軽量形鋼材の「上」「下」は、図１に示す矢印Ｙ１の方向を上下方向とし、「左」「右」は、図１に示す矢印Ｙ２の方向を左右方向とし、「前」「後」は、図１に示す矢印Ｙ３の方向を前後方向とする。
【００２４】
まず、軽量間仕切壁Ｗについて説明する。図１に示すように、軽量間仕切壁Ｗは、天井（図示せず）と床（図示せず）に固定された上下一対のランナーＲと、該ランナーＲ間に立設された複数の軽量形鋼材Ｐと、該軽量形鋼材Ｐ及び前記ランナーＲに固定されることで立設される壁材Ｗａとから構築されている。前記壁材Ｗａは石膏ボードが用いられる。前記ランナーＲは長尺状をなすとともに、ランナーＲの長さ方向に対して直交する断面視がコ字状をなし、ランナーＲの長さ方向へ延びる開口を有する。そして、ランナーＲが天井と床それぞれに固定された状態では、両ランナーＲの開口が上下に対向するように開口している。
【００２５】
図１、図５及び図６に示すように、前記軽量形鋼材Ｐは、薄鋼板からなり、軽量形鋼材Ｐの立設方向（矢印Ｙ１に示す上下方向）に対して直交する方向（矢印Ｙ３に示す前後方向）への平断面視が略Ｃ字状をなすＣ型鋼である。なお、軽量形鋼材Ｐにおいて、前記立設方向に対して直交し、かつ壁材Ｗａによって挟まれる方向（矢印Ｙ３に示す前後方向）を軽量形鋼材Ｐの幅方向とし、該幅方向に沿った長さを軽量形鋼材Ｐの幅とする。
【００２６】
軽量形鋼材Ｐは、立設方向に延びる開口部Ｐａと、該開口部Ｐａに相対向する背面板部Ｐｂと、該背面板部Ｐｂを挟む一対の側板部Ｐｃとからなり、開口部Ｐａと背面板部Ｐｂは相対向し、一対の側板部Ｐｃは相対向している。また、前記開口部Ｐａは、前記一対の側板部Ｐｃから延設された相対向する一対のリップ部Ｐｄの間に形成されているとともに、各リップ部Ｐｄは前記背面板部Ｐｂと相対向している。前記背面板部Ｐｂ、一対の側板部Ｐｃ、及びリップ部Ｐｄは軽量形鋼材Ｐの壁部を形成している。
【００２７】
そして、軽量間仕切壁Ｗを構築するには、まず、図１に示すように、天井と床に固定された上下各ランナーＲの内側へ軽量形鋼材Ｐの上端部及び下端部をそれぞれ挿入し、ランナーＲを用いて軽量形鋼材Ｐを立設する。このとき、軽量形鋼材ＰはランナーＲに対して固定されず、該ランナーＲの長さ方向へスライド移動可能になっている。また、このとき、複数の軽量形鋼材Ｐの開口部Ｐａが同じ方向に向けられるとともに、前記壁材Ｗａが設置される側（前側及び後側）の一対の側板部Ｐｃは、それぞれ同一平面上に配置される。
【００２８】
次に、壁材Ｗａの上下方向へ延びる両側縁部及び該両側縁部間の中央部に軽量形鋼材Ｐが位置するように軽量形鋼材ＰをランナーＲに沿ってスライド移動させた後、壁材ＷａをビスＢによってランナーＲに固定するとともに、壁材Ｗａと軽量形鋼材ＰとをビスＢによって固定すると、軽量間仕切壁Ｗが構築される。
【００２９】
次に、配設体としての配線ボックス１０について説明する。なお、配設体とは、軽量間仕切壁Ｗ内に配設され、軽量形鋼材Ｐに設置（固定）されるものであり、本実施形態においては、軽量間仕切壁Ｗに配線器具（例えば、スイッチ）を設置するため、軽量間仕切壁Ｗ内に配設され、該軽量間仕切壁Ｗ内の軽量形鋼材Ｐに設置される配線ボックス１０である。
【００３０】
図２に示すように、配線ボックス１０は合成樹脂材料よりなり、有底四角箱状に形成されたボックス本体１１を備えている。前記ボックス本体１１は、四角板状をなす底壁１２と、該底壁１２の側縁に立設された側壁１３〜１６とから形成されているとともに、前記側壁１３〜１６によって囲み形成されたボックス開口部Ｓａを前側に有している。図６（ｂ）及び図７の２点鎖線に示すように、ボックス本体１１において、底壁１２と相対向し前記ボックス開口部Ｓａが開口する面（前面）を、ボックス本体１１の開口面Ｓとし、全ての側壁１３〜１６において、ボックス開口部Ｓａ側の端面は全て開口面Ｓ上に位置している。なお、側壁１３〜１６のうち、ボックス本体１１の上下に対向する短側辺側の一対の側壁を上側壁１３と下側壁１４とし、ボックス本体１１の左右に対向する長側辺側の一対の側壁を左側壁１５と右側壁１６とする。
【００３１】
図２に示すように、前記左側壁１５には、該左側壁１５の正面視で長方形状をなす膨出部２１が形成されている。膨出部２１において、左側壁１５の外壁面に対して平行をなす面により、配線ボックス１０を取付台座３０に当接させる当接座面２１ａが形成されている。また、膨出部２１には、複数（本実施形態では５つ）の取付孔２７が膨出部２１を厚み方向へ貫通するとともに、ボックス本体１１の前後方向（深さ方向）へ長孔状に延びるように形成されている。各取付孔２７は、配線ボックス１０及び取付台座３０を軽量形鋼材Ｐに固定する固定部材としてのねじＮを挿通可能に形成されている（図６（ａ）参照）。
【００３２】
前記取付孔２７はそれぞれ当接座面２１ａで開口している。また、５つの取付孔２７のうち、膨出部２１における底壁１２側からボックス開口部Ｓａ側へ延びる３つの取付孔２７は、膨出部２１における底壁１２側に開口している。さらに、５つの取付孔２７のうち、膨出部２１におけるボックス開口部Ｓａ側から底壁１２側へ延びる２つの取付孔２７は、膨出部２１におけるボックス開口部Ｓａ側に開口している。また、膨出部２１において、前記２つの取付孔２７におけるボックス開口部Ｓａ側の開口の周囲には凹所２１ｂが凹設されている。
【００３３】
また、図６（ａ）及び（ｂ）に示すように、各取付孔２７は、膨出部２１の貫通方向への長さが膨出部２１の厚みと同じになっており、取付孔２７の貫通方向に沿った長さは、該取付孔２７に挿通されたねじＮが該取付孔２７の内面に当接することでねじＮの傾倒を防止可能とする長さになっている。そして、配線ボックス１０を軽量形鋼材Ｐに取り付ける際、配線ボックス１０は膨出部２１を以て、後述する取付台座３０に取り付けられるようになっている。
【００３４】
次に、配線ボックス１０を軽量形鋼材Ｐに取り付けるために該軽量形鋼材Ｐに固定される取付台座３０について説明する。
図２及び図３に示すように、取付台座３０は合成樹脂材料よりなる矩形板状の台座本体３１と、該台座本体３１から突設された突出部３２とを一体に備えてなる。前記台座本体３１は、前記膨出部２１と略同形状の長方形状をなし、台座本体３１における短側辺方向（一方向）に沿った長さＬは、前記軽量形鋼材Ｐの幅より短くなっている。台座本体３１の一面は、取付台座３０に配線ボックス１０が取り付けられる際に、配線ボックス１０の膨出部２１が取り付けられる取付面３５を構成している。この取付面３５の中央部には、取付突部３６が台座本体３１の一側辺（短側辺）方向に沿って細長板状に延びるとともに、取付面３５に対して直交するように突設されている。また、この取付突部３６の先端には係合突起３６ａが形成されている。
【００３５】
そして、この取付突部３６は、前記取付孔２７のうち、膨出部２１における底壁１２側に開口する３つの取付孔２７に対し挿入可能に形成されている（図２参照）。さらに、前記係合突起３６ａがその挿入された取付孔２７の内面に係合するようになっている。
【００３６】
図３に示すように、台座本体３１の取付面３５において、前記一側辺（短側辺）に対し直交する一対の他側辺（長側辺）のうち一方の長側辺側には、２つの係止片３７が形成されている。各係止片３７は取付面３５に対して交差する方向へ突出している。そして、取付突部３６が取付孔２７に挿入されたとき、図４（ａ）に示すように、係止片３７は膨出部２１に形成された前記凹所２１ｂに係止するようになっている。また、図３に示すように、台座本体３１において、前記取付面３５に直交する一端面を前端面３１ａとする。図７に示すように、係止片３７が凹所２１ｂに係止した状態では、係止片３７が形成された側となる台座本体３１の前端面３１ａは、ボックス本体１１の開口面Ｓと同一平面上に位置するようになっている。このため、係止片３７は台座本体３１に取り付けられた配線ボックス１０が前端面３１ａより突出しないように配線ボックス１０の移動を規制するようになっている。
【００３７】
そして、係合突起３６ａの取付孔２７内面に対する係合と、係止片３７の凹所２１ｂに対する係止によって、台座本体３１には配線ボックス１０が取り付け可能になっている。よって、取付突部３６及び係止片３７は、台座本体３１の取付面３５に、台座本体３１の前端面３１ａから突出しないように配線ボックス１０を取り付け可能とする取付部を構成している。また、台座本体３１に配線ボックス１０が取り付けられた状態では、前端面３１ａはボックス本体１１の開口面Ｓと同一平面上に位置している。
【００３８】
図２に示すように、前記台座本体３１において、前記取付面３５に相対向する他面は、取付台座３０を軽量形鋼材Ｐに固定する際に、軽量形鋼材Ｐのリップ部Ｐｄに当接される当接面３３を構成している。また、図３に示すように、台座本体３１において、前記一対の短側辺側には、それぞれ２つの固定孔３４が台座本体３１を厚み方向へ貫通して形成され、各固定孔３４は前記ねじＮを挿通可能に形成されている。４つの固定孔３４のうち、２つの固定孔３４は、台座本体３１の一方の長側辺寄りに形成されている。各固定孔３４は、台座本体３１の貫通方向への長さが台座本体３１の厚みと同じになっており、固定孔３４の貫通方向に沿った長さは、該固定孔３４に挿通されたねじＮが該固定孔３４の内面に当接することでねじＮの傾倒を防止可能とする長さになっている。
【００３９】
台座本体３１において、前記前端面３１ａには、突出部３２が突設されている。この突出部３２は、前端面３１ａから当接面３３に対して直交する方向へ延びるように設けられている。また、突出部３２は、全体が平板状に形成されるとともに、正面視コ字状に形成され、前端面３１ａに対して２箇所で連結されている。そして、突出部３２は、突出部３２における前端面３１ａへの２つの連結部が、その先端側で繋がっている。すなわち、突出部３２における前端面３１ａへの２つの連結部の間には透孔３２ａが形成されている。
【００４０】
また、突出部３２は、表面３２Ａを軽量形鋼材Ｐに向けて押圧したとき、該突出部３２そのものが自身を回転軸として軽量形鋼材Ｐ上で回転しないように全体が平板状に形成されている。また、突出部３２は、表面３２Ａを軽量形鋼材Ｐに向けて押圧したとき、突出部３２を回動中心とした台座本体３１の軽量形鋼材Ｐに向かう方向への回動及び軽量形鋼材Ｐ後方への移動を防止する大きさに形成されている。
【００４１】
また、突出部３２は、所要の厚みを有するとともに、成人男性の手、具体的には指によって押圧可能に形成され、軽量形鋼材Ｐを手で掴むと共に突出部３２を手で掴んだとき、軽量形鋼材Ｐとともに突出部３２を指で押さえることが可能なサイズに形成されている。また、突出部３２は、その表面３２Ａ及び裏面３２Ｂが当接面３３に対して直交するように台座本体３１の外方へ延設されている。なお、突出部３２の表面３２Ａとは、取付台座３０が軽量形鋼材Ｐに固定されたとき、軽量間仕切壁Ｗの壁表側（前側）に臨む面のことであり、突出部３２の裏面３２Ｂは前記表面３２Ａと相対向する面のことである。
【００４２】
このため、図６（ａ）及び（ｂ）に示すように、突出部３２の裏面３２Ｂは、台座本体３１の当接面３３に連続するとともに、前端面３１ａと同一平面上に位置している。すなわち、図６（ｂ）に示すように、取付台座３０に配線ボックス１０が取り付けられたとき、台座本体３１の前端面３１ａは、ボックス本体１１の開口面Ｓと同一平面上に位置するため、該前端面３１ａと同一平面上に位置する突出部３２の裏面３２Ｂもボックス本体１１の開口面Ｓと同一平面上に位置するようになっている。
【００４３】
図２及び図３に示すように、突出部３２の表面３２Ａからは何も突設されていない。このため、突出部３２の表面３２Ａは、指で押圧することに不都合が発生せず、また、指で押さえるのに適したサイズに形成されている。すなわち、突出部３２は、指より小さすぎず、また大きすぎないサイズに形成されている。
【００４４】
突出部３２の基端側（台座本体３１側）には、突出部３２を厚み方向へ貫通する透孔３２ａが形成されている。図８に示すように、該透孔３２ａには把持工具としてのペンチ５０の一方の把持片５０ａの先端が挿入可能になっている。そして、透孔３２ａにペンチ５０の一方の把持片５０ａを挿入し、該一方の把持片５０ａとペンチ５０の他方の把持片５０ｂとで、突出部３２の先端側を把持することが可能となっている。すなわち、突出部３２の先端側にはペンチ５０によって把持される被把持部３２ｂが設けられ、該被把持部３２ｂは突出部３２を台座本体３１から分断する作業を行う際に機能する分断補助部を構成している。
【００４５】
また、図７に示すように、突出部３２の裏面３２Ｂには、挿入凹所３２ｃが凹設されている。この挿入凹所３２ｃは、突出部３２の裏面３２Ｂが側板部Ｐｃの外壁面（前面）に当接した状態において、突出部３２の裏面３２Ｂと側板部Ｐｃの前面との間に隙間が形成されるように外方に向けて開放しており、該隙間、すなわち、挿入凹所３２ｃに工具としてのドライバ（マイナス）Ｄの先端を挿入することが可能となっている。そして、挿入凹所３２ｃへドライバＤの先端が挿入された状態で該ドライバＤを傾動させると、ドライバＤの先端が挿入凹所３２ｃの内面に係合するようになっている。すなわち、挿入凹所３２ｃの内面が、ドライバＤが係合する被係合部を構成し、挿入凹所３２ｃは突出部３２を台座本体３１から分断する作業を行う際に機能する分断補助部を構成している。
【００４６】
次に、上記取付台座３０の軽量形鋼材Ｐへの設置方法について説明する。
まず、図１に示すように、ランナーＲに複数の軽量形鋼材Ｐが立設された状態において、図５に示すように、配線ボックス１０を設置する軽量形鋼材Ｐに対し、台座本体３１の当接面３３を、軽量形鋼材Ｐの壁部としてのリップ部Ｐｄに当接させる。さらに、突出部３２の裏面３２Ｂを、軽量形鋼材Ｐにおいて、前記リップ部Ｐｄに隣接し、かつ直交する別の壁部である壁表側の側板部Ｐｃの前面に当接させる。
【００４７】
このとき、図６（ａ）に示すように、突出部３２の裏面３２Ｂは、台座本体３１において、突出部３２が形成された前端面３１ａと同一平面上に位置している。すなわち、取付台座３０の前端面３１ａは、軽量形鋼材Ｐより壁表側に突出していない。そして、突出部３２の裏面３２Ｂが側板部Ｐｃの前面に当接した状態では、突出部３２は、軽量形鋼材Ｐにおいて、側板部Ｐｃの幅方向の中心線よりリップ部Ｐｄ側に位置している。
【００４８】
このため、軽量形鋼材Ｐを背面板部Ｐｂ側から手で掴んだとき、指（親指）が位置する場所に突出部３２が配設されており、軽量形鋼材Ｐと共に突出部３２を手で掴むことができるとともに突出部３２の表面３２Ａを側板部Ｐｃに向けて親指で押圧することができる。そして、該親指によって突出部３２の表面３２Ａを押圧すると突出部３２の裏面３２Ｂが側板部Ｐｃに押し当てられるとともに、親指と側板部Ｐｃとの間に突出部３２が挟持される。
【００４９】
図５に示すように、突出部３２は、全体が平板状に形成されるとともに、正面視コ字状に形成されている。すなわち、突出部３２は、表面３２Ａを側板部Ｐｃ（別の壁部）に向けて押圧したとき、該突出部３２そのものが自身を回転軸として側板部Ｐｃ上で回転しないように全体が平板状に形成されている。また、突出部３２は前端面３１ａに対して２箇所で連結されているため、突出部３２は側板部Ｐｃに対して、軽量形鋼材Ｐの立設方向に離れた位置で当接している。加えて、突出部３２は、表面３２Ａを側板部Ｐｃ（別の壁部）に向けて押圧したとき、突出部３２を回動中心とした台座本体３１の軽量形鋼材Ｐに向かう方向への回動及び軽量形鋼材Ｐ後方への移動を防止する大きさに形成されている。このため、親指で突出部３２を押圧し、突出部３２を親指と側板部Ｐｃとの間に挟持することで、台座本体３１が回転したり、軽量形鋼材Ｐにおける開口部Ｐａに向けて回動し、該開口部Ｐａの内側へ入り込むことが防止される。
【００５０】
すると、取付台座３０は、台座本体３１の前端面３１ａが、側板部Ｐｃの前面と略同一平面上に位置するように軽量形鋼材Ｐに保持される。図６（ａ）に示すように、取付台座３０において突出部３２側の固定孔３４は、リップ部Ｐｄに対向する位置にある。そして、前記保持状態のまま取付台座３０の固定孔３４にねじＮを貫通させ、さらにねじＮをリップ部Ｐｄに強制的に螺入する。ねじＮが挿入される取付孔２７は、左側壁１５の長さ方向の上部に位置する取付孔２７のうち、ボックス開口部Ｓａ側に位置する取付孔２７である。ここで、固定孔３４は台座本体３１を貫通して形成されている。このため、ねじＮが固定孔３４内に挿入されると、該ねじＮは固定孔３４の内面に当接し、傾倒することが防止される。したがって、固定孔３４によってリップ部ＰｄにガイドされたねじＮをリップ部Ｐｄへ螺入する作業性をより一層向上させることができる。
【００５１】
そして、リップ部ＰｄへのねじＮの螺入により、軽量形鋼材ＰにはランナーＲの長さ方向へスライド移動させる大きな力が作用するが、軽量形鋼材Ｐは手によって掴まれているため、軽量形鋼材Ｐがスライド移動することが防止される。したがって、ねじＮの螺入作業が行われる際、取付台座３０は突出部３２の挟持によって所定位置に保持される。さらに、軽量形鋼材Ｐのスライド移動も無いため、取付台座３０の軽量形鋼材Ｐへの固定作業が容易に行われる。
【００５２】
次に、配線ボックス１０を取付台座３０に取り付ける。すなわち、取付孔２７における底壁１２側の開口に取付突部３６を挿入し、係合突起３６ａを取付孔２７の内面に係合させるとともに、係止片３７を膨出部２１における凹所２１ｂに係止させる。すると、取付台座３０における取付面３５に配線ボックス１０が取り付けられる。この取付状態では、図６（ｂ）に示すように、台座本体３１の前端面３１ａと、ボックス本体１１の開口面Ｓとが同一平面上に位置し、配線ボックス１０は台座本体３１の前端面３１ａを越えない状態で取り付けられている。
【００５３】
この取付状態では、突出部３２の裏面３２Ｂは、台座本体３１において、突出部３２が形成された前端面３１ａと同一平面上に位置するため、突出部３２の裏面３２Ｂが当接した側板部Ｐｃの前面とボックス本体１１の開口面Ｓとは略同一平面上に位置している。すなわち、取付台座３０の前端面３１ａ及び配線ボックス１０の前面側は、いずれも軽量形鋼材Ｐより壁表側に突出していない。なお、この略同一平面とは、ボックス本体１１の開口面Ｓと側板部Ｐｃの前面とが同一平面上に位置する場合は当然のこと、ボックス本体１１の開口面Ｓが側板部Ｐｃの前面より僅かに後退した位置にある場合も含むものとする。
【００５４】
そして、取付台座３０を介して配線ボックス１０が軽量形鋼材Ｐに設置された後は、突出部３２が台座本体３１から除去される。図７に示すように、取付台座３０が軽量形鋼材Ｐに固定された状態において、側板部Ｐｃの前面と突出部３２の裏面３２Ｂとの間には、挿入凹所３２ｃが側方へ開放されている。そして、ドライバＤの先端を挿入凹所３２ｃ内に挿入し、該ドライバＤの先端を突出部３２の裏面（挿入凹所３２ｃの内面）に係合させた状態でドライバＤを傾動させる。すると、図７の２点鎖線に示すように、突出部３２が基端側から折り曲げられる。このドライバＤの傾動を繰り返すことにより、突出部３２が基端側から折り取られ、台座本体３１から除去される。
【００５５】
又は、図８に示すように、ペンチ５０の把持片５０ａを透孔３２ａに挿入し、両把持片５０ａ，５０ｂによって突出部３２の一部である被把持部３２ｂを把持する。その後、突出部３２を把持したペンチ５０によって突出部３２をボックス本体１１から切り離して除去してもよい。その結果、図１に示すように、取付台座３０が軽量形鋼材Ｐに設置され、該取付台座３０に取り付けられた配線ボックス１０が軽量形鋼材Ｐに設置される。さらに、ランナーＲに壁材Ｗａが固定され、さらに、軽量形鋼材Ｐと壁材Ｗａとが固定されて軽量間仕切壁Ｗが構築される。
【００５６】
上記実施形態によれば、以下のような効果を得ることができる。
（１）台座本体３１の前端面３１ａには突出部３２が設けられ、この突出部３２の裏面３２Ｂを軽量形鋼材Ｐの側板部Ｐｃの前面に当接させることで、台座本体３１をその前端面３１ａが軽量形鋼材Ｐの側板部Ｐｃと略同一平面上に位置するように位置決めすることができる。そして、位置決めされた台座本体３１の取付面３５に配線ボックス１０を取り付けることで、係止片３７によってボックス本体１１の開口面Ｓが前端面３１ａより突出しないように位置決めできる。その結果として、取付台座３０を用い、該取付台座３０にボックス本体１１を取り付けることで、ボックス本体１１の開口面Ｓが軽量形鋼材Ｐより壁表側に突出しないように配線ボックス１０を軽量形鋼材Ｐに設置する作業を容易に行うことができる。
【００５７】
さらに、配線ボックス１０を軽量形鋼材Ｐに設置した後、軽量形鋼材Ｐの前側には突出部３２が位置しているが、突出部３２には被把持部３２ｂ又は挿入凹所３２ｃが設けられている。このため、被把持部３２ｂ又は挿入凹所３２ｃを機能させることで突出部３２を台座本体３１から容易に除去することができ、取付台座３０が壁材Ｗａ設置の障害となることを回避することができる。
【００５８】
（２）取付台座３０の当接面３３を軽量形鋼材Ｐのリップ部Ｐｄ（壁部）に当接させた状態で、突出部３２の裏面３２Ｂを軽量形鋼材Ｐの側板部Ｐｃ（別の壁部）に当接可能とした。そして、突出部３２は、軽量形鋼材Ｐを手で掴んだときにその表面３２Ａを親指で押圧することが可能な位置に配置され、親指によって突出部３２を側板部Ｐｃに向けて押し当てることにより、突出部３２を親指と側板部Ｐｃとの間に挟持して取付台座３０を軽量形鋼材Ｐに保持することができる。このため、取付台座３０の固定孔３４を貫通したねじＮをリップ部Ｐｄに螺入する際に、軽量形鋼材Ｐに大きな力が作用しても、手で掴まれた軽量形鋼材ＰがランナーＲに沿って移動することが防止され、取付台座３０は軽量形鋼材Ｐに対して位置ずれすることが防止される。したがって、取付台座３０を軽量形鋼材Ｐに固定する作業を容易に行うことができる。
【００５９】
（３）突出部３２は全体に平板状をなすとともに、表面３２Ａから前方へ向けて何も突設されていない。また、突出部３２の平面サイズは、軽量形鋼材Ｐを手で掴んだとき親指によって押圧しやすいサイズに形成されている。このため、軽量形鋼材Ｐを手で掴んだとき、突出部３２の表面３２Ａを親指で押圧し易く、取付台座３０を軽量形鋼材Ｐに保持する作業を抵抗なく行うことができる。
【００６０】
（４）突出部３２は、全体として平板状をなすとともに正面視コ字状に形成され、さらに、台座本体３１に対して２箇所で連結され、突出部３２は側板部Ｐｃに対して、軽量形鋼材Ｐの立設方向に離れた位置で当接する。よって、突出部３２を側板部Ｐｃに向けて押圧したとき、例えば、突出部３２が１本の細板状に形成されている場合とは異なり、突出部３２が自身を回転軸として側板部Ｐｃ上で回転してしまうことが防止され、台座本体３１が回転することを防止することができる。加えて、突出部３２を側板部Ｐｃに向けて押圧したとき、台座本体３１が軽量形鋼材Ｐに向けて回動したり、軽量形鋼材Ｐの後方へ移動することが防止され、台座本体３１が開口部Ｐａから軽量形鋼材Ｐの内側へ入り込んでしまうことを防止することができる。また、その一方で、突出部３２の基端側は、透孔３２ａを挟む状態で前端面３１ａに連結されているため、例えば、突出部３２の基端側が透孔３２ａを挟まないで前端面３１ａに連結されている場合と異なり、突出部３２の台座本体３１からの分断を容易に行うことができる。
【００６１】
（５）突出部３２には挿入凹所３２ｃが設けられているため、軽量形鋼材Ｐの側板部Ｐｃの前面に突出部３２の裏面３２Ｂが当接した状態で取付台座３０が軽量形鋼材Ｐに固定されても挿入凹所３２ｃにドライバＤの先端を挿入することで、該ドライバＤの先端を突出部３２の裏面３２Ｂに係合させることができる。このため、ドライバＤを傾動させることにより、突出部３２を台座本体３１から容易に折り曲げることができ、突出部３２の除去作業を容易に行うことができる。
【００６２】
（６）突出部３２には透孔３２ａが形成されているため、透孔３２ａにペンチ５０の一方の把持片５０ａの先端を挿入することができ、突出部３２をペンチ５０で把持することができる。したがって、ペンチ５０を用いて突出部３２を台座本体３１から容易に切り離すことができ、突出部３２の除去作業を容易に行うことができる。
【００６３】
（７）台座本体３１には固定孔３４が形成され、当接面３３をリップ部Ｐｄに当接させ、突出部３２の裏面３２Ｂを側板部Ｐｃの前面に当接させた状態では、固定孔３４はリップ部Ｐｄと対向する位置にある。このため、固定孔３４にねじＮを挿入することで、ねじＮをリップ部Ｐｄに案内し、そのままねじＮをリップ部Ｐｄに螺入することができ、取付台座３０を軽量形鋼材Ｐに固定する作業の作業性を向上させることができる。
【００６４】
（８）台座本体３１には取付突部３６が設けられ、該取付突部３６を配線ボックス１０の固定孔３４に挿入、係合することによって、台座本体３１に配線ボックス１０を取り付けることができる。配線ボックス１０の固定孔３４は、該配線ボックス１０を軽量形鋼材Ｐ等に固定する際に用いられる孔である。取付台座３０は、配線ボックス１０に既に形成された構成（固定孔３４）を用いて配線ボックス１０を取付可能としている。
【００６５】
（第２の実施形態）
次に、本発明の配設体の取付台座及びその設置方法をボックス固定具の取付台座及びその設置方法に具体化した第２の実施形態を図９〜図１１にしたがって説明する。なお、第２の実施形態は、配設体をボックス固定具に変更した実施形態であるため、同様の部分についてはその詳細な説明を省略する。
【００６６】
図９に示すように、ボックス固定具７０の取付台座６０は、配設体としてのボックス固定具７０を、軽量形鋼材Ｐに設置するために該軽量形鋼材Ｐに固定されるものである。まず、本実施形態における配設体としてのボックス固定具７０について説明する。なお、配設体とは、軽量間仕切壁Ｗ内に配設され、軽量形鋼材Ｐに設置（固定）されるものであり、本実施形態においては、軽量間仕切壁Ｗ内に配設され、配線ボックス１０を軽量形鋼材Ｐから離れた位置に設置するために軽量形鋼材Ｐに設置されるボックス固定具７０である。
【００６７】
図１０に示すように、ボックス固定具７０は、薄鋼板を折り曲げて細長板状に形成されている。該ボックス固定具７０の一側部には矩形板状をなす取着部７１が設けられているとともに、前記取着部７１からは、該取着部７１に対して直交するように固定片７２が折り曲げて延設されている。
【００６８】
前記取着部７１は、その短辺方向及び長辺方向への長さがいずれも台座本体６１の短辺方向及び長辺方向への長さより短くなっている。前記取着部７１には、前記ねじＮを挿通可能な挿通孔７３が複数（本実施形態では４つ）形成されている。また、前記固定片７２には、該固定片７２の長さ方向へ延びる長孔７４が形成されている。そして、長孔７４は、固定片７２に配線ボックス１０を固定するために、ねじ（図示せず）が螺入されるようになっている。
【００６９】
次に、ボックス固定具７０の取付台座６０について説明する。取付台座６０は合成樹脂材料よりなる矩形板状の台座本体６１と、該台座本体６１から突設された突出部３２とを一体に備えてなる。台座本体６１における一側片（短側辺）方向（一方向）に沿った長さＬは、前記軽量形鋼材Ｐの幅より短くなっている。台座本体６１の一面は、前記ボックス固定具７０が取り付けられる取付面６５を構成している。この取付面６５において、台座本体６１の一対の短側辺側には、それぞれ取付突部６６が取付面６５に対して直交するように突設されている。両取付突部６６は、台座本体６１の短側辺に沿って延びる細長板状をなす。また、各取付突部６６の先端には係合突起６６ａが形成されている。
【００７０】
前記台座本体６１において、前記取付面６５に対向する他面は、取付台座６０を軽量形鋼材Ｐに固定する際に、軽量形鋼材Ｐのリップ部Ｐｄに当接される当接面６３を構成している。また、台座本体６１において、前記短側辺に対して直交する一対の他側辺（長側辺）のうち一方の長側辺寄りには、複数の固定孔６４が台座本体６１を厚み方向へ貫通して形成され、各固定孔６４は前記ねじＮを挿通可能に形成されている。台座本体６１において、その長側辺方向の一端面となる前端面６１ａには、第１の実施形態と同一構成を有する突出部３２が突設されている。この突出部３２の裏面３２Ｂは、当接面６３に連続している。さらに、取付面６５において、前記短側辺に対して直交する一対の他側辺（長側辺）のうち他方の長側辺寄りには、取付突部６６によって取付面６５に取り付けられたボックス固定具７０の固定片７２に当接する当接規制片６７が、取付面６５に対して直交するように延設されている。
【００７１】
次に、上記取付台座６０を用いたボックス固定具７０の軽量形鋼材Ｐへの設置方法について説明する。
まず、取付台座６０に対してボックス固定具７０を取り付ける。すなわち、図１１に示すように、一対の取付突部６６の間に、ボックス固定具７０の取着部７１を嵌合するとともに、係合突起６６ａを取着部７１に係合させ、さらに、当接規制片６７に固定片７２を当接させる。すると、取付突部６６によってボックス固定具７０が取付面６５から離間する方向へ移動することが規制されるとともに、当接規制片６７によってボックス固定具７０が台座本体６１の短辺方向へスライド移動することが規制されるようになっている。よって、第２の実施形態では、前記取付突部６６が台座本体６１に配設体たるボックス固定具７０を取り付け可能とする取付部を構成している。なお、取付面６５にボックス固定具７０が取り付けられた状態では、ボックス固定具７０の取着部７１は台座本体６１のサイズ内に収まり、台座本体６１の前端面６１ａより突出しない状態で取り付けられている。
【００７２】
次に、台座本体６１の当接面６３を、軽量形鋼材Ｐの壁部としてのリップ部Ｐｄに当接させる。さらに、突出部３２の裏面３２Ｂを、軽量形鋼材Ｐにおいて、前記リップ部Ｐｄに隣接し、かつ直交する別の壁部である壁表側の側板部Ｐｃの前面に当接させる。そして、軽量形鋼材Ｐを背面板部Ｐｂ側から手で掴むと共に突出部３２を掴み、親指によって突出部３２の表面３２Ａを押圧して突出部３２の裏面３２Ｂを側板部Ｐｃに押し当てて、取付台座６０を軽量形鋼材Ｐに保持する。すなわち、取付台座６０が軽量形鋼材Ｐに保持されることによって、該取付台座６０に取り付けられたボックス固定具７０も軽量形鋼材Ｐに保持される。
【００７３】
次に、図９に示すように、取着部７１の挿通孔７３から固定孔６４にねじＮを挿入し、該固定孔６４に対向（対応）する位置にあるリップ部ＰｄへねじＮを螺入する。すると、取付台座６０が軽量形鋼材Ｐに固定されるとともに、ボックス固定具７０が軽量形鋼材Ｐに取り付られる。その後、被把持部３２ｂ又は挿入凹所３２ｃを用いて、突出部３２が台座本体６１から分断除去され、取付台座６０が軽量形鋼材Ｐに設置される。したがって、第２の実施形態によれば、第１の実施形態に記載の（１）〜（７）の効果と同様の効果を得ることができる。
【００７４】
（第３の実施形態）
次に、本発明の配設体の取付台座及びその設置方法を長尺物保持具の取付台座及びその設置方法に具体化した第３の実施形態を図１２〜図１４にしたがって説明する。なお、第３の実施形態は、配設体を長尺物保持具に変更した実施形態であるため、同様の部分についてはその詳細な説明を省略する。
【００７５】
図１２に示すように、長尺物保持具９０の取付台座８０は、管類やケーブル類といった長尺物を保持するために用いられる配設体としての長尺物保持具９０を、軽量形鋼材Ｐに設置するために該軽量形鋼材Ｐに固定されるものである。まず、本実施形態における配設体としての長尺物保持具９０について説明する。なお、配設体とは、軽量間仕切壁Ｗ内に配設され、軽量形鋼材Ｐに設置（固定）されるものであり、本実施形態においては、軽量間仕切壁Ｗ内に配設され、前記管類としての電線管９５を軽量形鋼材Ｐに沿って配設するために軽量形鋼材Ｐに設置される長尺物保持具９０である。
【００７６】
長尺物保持具９０は合成樹脂材料よりなり、平面視がＣ字状に形成されている。図１３に示すように、長尺物保持具９０は四角板状をなす基板９２を備え、該基板９２の対向する一対の側縁部からは弾性変形可能な一対の腕部９１が延設されている。前記基板９２の平面視におけるサイズは、台座本体８１のサイズ内に収まるようになっている。また、各腕部９１の先端には係合突起９１ａが対向する腕部９１に向けて突設されている。そして、一対の腕部９１の間には隙間が形成され、該隙間から一対の腕部９１の内側へ電線管９５が嵌入されるようになっている（図１２参照）。また、長尺物保持具９０の基板９２には、取着突部９４が前記腕部９１とは相反する方向へ延びるように設けられている。そして、長尺物保持具９０は前記取着突部９４を以て取付台座８０に取り付けられるようになっている。
【００７７】
次に、取付台座８０について説明する。取付台座８０は合成樹脂材料よりなる矩形板状の台座本体８１と、該台座本体８１から突設された突出部３２とを一体に備えてなる。台座本体８１における一側辺（短側辺）方向（一方向）に沿った長さＬは、前記軽量形鋼材Ｐの幅より短くなっている。台座本体８１の一面は、前記長尺物保持具９０が取り付けられる取付面８５を構成している。また、台座本体８１の中央部には、台座本体８１を貫通する取付凹所８６が穿設されている。この取付凹所８６は、台座本体８１の一側辺（短側辺）方向に沿うように長孔状に形成されている。
【００７８】
前記台座本体８１において、前記取付面８５に対向する他面は、取付台座８０を軽量形鋼材Ｐに固定する際に、軽量形鋼材Ｐのリップ部Ｐｄに当接される当接面８３を構成している。また、台座本体８１において、前記短側辺に対して直交する一対の他側辺（長側辺）のうち一方の長側辺寄りには、複数の固定孔８４が台座本体８１を厚み方向へ貫通して形成され、各固定孔８４は前記ねじＮを挿通可能に形成されている。台座本体８１において、長側辺方向における一端面となる前端面８１ａには、第１の実施形態と同一構成を有する突出部３２が突設されている。この突出部３２の裏面３２Ｂは、当接面８３に連続している。
【００７９】
上記取付台座８０を用いた長尺物保持具９０の軽量形鋼材Ｐへの設置方法について説明する。
まず、取付台座８０に対し長尺物保持具９０を取り付ける。すなわち、取付凹所８６に、長尺物保持具９０の取着突部９４を挿入し、長尺物保持具９０を回転させると、図１４に示すように、取着突部９４が台座本体８１において、取付凹所８６の周囲に係止され、台座本体８１に長尺物保持具９０が取り付けられるようになっている。よって、第３の実施形態では、前記取付凹所８６が台座本体８１に配設体たる長尺物保持具９０を取り付け可能とする取付部を構成している。なお、取付面８５に長尺物保持具９０が取り付けられた状態では、長尺物保持具９０は、台座本体８１のサイズ内に収まっており、長尺物保持具９０が前端面８１ａより突出していない。
【００８０】
次に、電線管９５を設置する軽量形鋼材Ｐに対し、台座本体８１の当接面８３を、軽量形鋼材Ｐの壁部としてのリップ部Ｐｄに当接させる。さらに、突出部３２の裏面３２Ｂを、軽量形鋼材Ｐにおいて、前記リップ部Ｐｄに隣接し、かつ直交する別の壁部である側板部Ｐｃの前面に当接させる。そして、軽量形鋼材Ｐを背面板部Ｐｂ側から手で掴むと共に突出部３２を手で掴み、親指によって突出部３２の表面３２Ａを押圧して突出部３２の裏面３２Ｂを側板部Ｐｃに押し当てて取付台座８０を軽量形鋼材Ｐに保持する。すなわち、取付台座８０が軽量形鋼材Ｐに保持されることによって、該取付台座８０に取り付けられた長尺物保持具９０も軽量形鋼材Ｐに保持される。
【００８１】
次に、図１２に示すように、固定孔８４にねじＮを挿入し、該固定孔８４に対向（対応）する位置にあるリップ部ＰｄへねじＮを螺入する。すると、取付台座８０が軽量形鋼材Ｐに固定されるとともに、該取付台座８０を介して長尺物保持具９０が軽量形鋼材Ｐに設置される。その後、被把持部３２ｂ又は挿入凹所３２ｃを用いて、突出部３２が台座本体８１から分断除去され、取付台座８０が軽量形鋼材Ｐに設置されるとともに、長尺物保持具９０に電線管９５が保持され、軽量形鋼材Ｐに電線管９５が設置される。したがって、第３の実施形態によれば、第１の実施形態に記載の（１）〜（７）の効果と同様の効果を得ることができる。
【００８２】
（第４の実施形態）
次に、本発明の配設体の取付台座及びその設置方法を下地材の取付台座及びその設置方法に具体化した第４の実施形態を図１５〜図１７にしたがって説明する。なお、第４の実施形態は、配設体を下地材に変更した実施形態であるため、同様の部分についてはその詳細な説明を省略する。
【００８３】
図１５に示すように、本実施形態の取付台座１００は、配設体としての下地材９９を軽量形鋼材Ｐに設置するために該軽量形鋼材Ｐに固定されるものである。まず、本実施形態における配設体としての下地材９９について説明する。なお、配設体とは、軽量間仕切壁Ｗ内に配設され、軽量形鋼材Ｐに設置（固定）されるものであり、本実施形態においては、軽量間仕切壁Ｗ内に配設され、壁材Ｗａに対する固定物（例えば、手すり等）の固定の際、該固定物を固定するためのねじ（図示せず）が突き刺されたり、ボルト（図示せず）が螺入される下地材９９である。そして、前記下地材９９は、矩形板状をなし、隣り合う軽量形鋼材Ｐの間に架設される。
【００８４】
次に、下地材９９の取付台座１００について説明する。図１６に示すように、前記取付台座１００は、合成樹脂材料よりなる矩形板状の台座本体１０１と、該台座本体１０１から突設された突出部３２とを一体に備えてなる。台座本体１０１における一側辺（短側辺）方向（一方向）に沿った長さＬは、前記軽量形鋼材Ｐの幅より短くなっている。台座本体１０１の一面には、該台座本体１０１に対し直交する方向へ延びる取付部としての取付板状部１０２が突設されている。台座本体１０１において、前記台座本体１０１と取付板状部１０２との連結部には補強リブ１０１ｃが形成されている。
【００８５】
取付板状部１０２は矩形板状をなし、該取付板状部１０２において、取付板状部１０２から台座本体１０１が延設する側と反対側の面が、下地材９９の端面に当接させる取付用当接面１０２ａを構成している。また、取付板状部１０２には４つの取着孔１０２ｂが取付板状部１０２を厚み方向へ貫通して形成されている。さらに、取付板状部１０２において、一対の短側辺のうち台座本体１０１側の短側辺に沿う端縁には細長に延びる位置規制突部１０２ｃが突設されている。
【００８６】
前記台座本体１０１において、前記一面に対向する他面は、取付台座１００を軽量形鋼材Ｐに固定する際に、軽量形鋼材Ｐのリップ部Ｐｄに当接される当接面１０３を構成している（図１７参照）。また、台座本体１０１には、複数（本実施形態では４つ）の固定孔１０４が台座本体１０１を厚み方向へ貫通して形成され、各固定孔１０４は前記ねじＮを挿通可能に形成されている。
【００８７】
台座本体１０１において、長側辺方向における一端面となる前端面１０１ａには、第１の実施形態と同一構成を有する突出部３２が突設されている。この突出部３２の裏面３２Ｂは、当接面１０３に連続している。また、取付板状部１０２において、台座本体１０１の前端面１０１ａに連続する前面１０２ｄは、突出部３２の裏面３２Ｂと同一平面上に位置している。
【００８８】
上記取付台座１００を用いた下地材９９の軽量形鋼材Ｐへの設置方法について説明する。
まず、下地材９９の四隅部に取付台座１００を取り付ける。図１６に示すように、取付板状部１０２の取付用当接面１０２ａに下地材９９の上端面を当接させ、該上端面の一端縁を位置規制突部１０２ｃに当接させる。さらに、下地材９９の前面９９ａを取付板状部１０２の前面１０２ｄと同一平面上に位置させる。次に、下地材９９に対向する取着孔１０２ｂから下地材９９に取着部材１０７を固定し、取付台座１００を下地材９９に取り付ける。このとき、位置規制突部１０２ｃに下地材９９を当接させることにより、下地材９９が当接面１０３を越えた位置に取付台座１００が取り付けられることが防止される。また、取付板状部１０２の取付用当接面１０２ａと下地材９９の前面９９ａとが同一平面上に位置する。続けて、上記と同様に下地材９９の残りの三隅部に取付台座１００を取り付ける。
【００８９】
次に、下地材９９が架設される２本の軽量形鋼材Ｐのうちの一方の軽量形鋼材Ｐに対し、下地材９９の一側に取り付けられた２つの台座本体１０１の当接面１０３を、軽量形鋼材Ｐの壁部としてのリップ部Ｐｄに当接させる。そして、突出部３２の裏面３２Ｂを、軽量形鋼材Ｐにおいて、前記リップ部Ｐｄに隣接し、かつ直交する別の壁部である側板部Ｐｃの前面に当接させる。さらに、下地材９９が架設される２本の軽量形鋼材Ｐのうちの他方の軽量形鋼材Ｐに対し、下地材９９の他側に取り付けられた２つの台座本体１０１の当接面１０３を、軽量形鋼材Ｐの壁部としての背面板部Ｐｂに当接させる。そして、突出部３２の裏面３２Ｂを、軽量形鋼材Ｐにおいて、前記背面板部Ｐｂに隣接し、かつ直交する別の壁部である側板部Ｐｃの前面に当接させる。
【００９０】
そして、各軽量形鋼材Ｐを背面板部Ｐｂ側又はリップ部Ｐｄから手で掴むと共に突出部３２を手で掴み、親指によって突出部３２の表面３２Ａを押圧して突出部３２の裏面３２Ｂを側板部Ｐｃに押し当てて取付台座１００を軽量形鋼材Ｐに保持する。すなわち、取付台座１００が軽量形鋼材Ｐに保持されることによって、該取付台座１００に取り付けられた下地材９９も軽量形鋼材Ｐに保持される。
【００９１】
次に、固定孔１０４にねじＮを挿入し、該固定孔１０４に対向（対応）する位置にあるリップ部Ｐｄ又は背面板部ＰｂへねじＮを螺入する。すると、取付台座１００が軽量形鋼材Ｐに固定されるとともに、該取付台座１００を介して下地材９９が軽量形鋼材Ｐに設置される。ここで、下地材９９の前面９９ａは取付板状部１０２の前面１０２ｄと同一平面上に位置し、該前面１０２ｄは突出部３２の裏面３２Ｂと同一平面上に位置するため、下地材９９の前面９９ａは突出部３２の裏面３２Ｂが当接した側板部Ｐｃの外壁面（軽量形鋼材Ｐの前面）と同一平面上に位置する。
【００９２】
その後、被把持部３２ｂ又は挿入凹所３２ｃを用いて、突出部３２が台座本体１０１から分断除去され、取付台座１００が軽量形鋼材Ｐに設置されるとともに、下地材９９が隣り合う軽量形鋼材Ｐの間に架設される。したがって、第４の実施形態によれば、第１の実施形態に記載の（１）〜（７）の効果と同様の効果に加え（８）に記載の効果を得ることができる。
【００９３】
（８）台座本体１０１に位置規制突部１０２ｃを形成した。このため、取付板状部１０２に下地材９９を取り付けるとき、下地材９９を位置規制突部１０２ｃに当接させることで下地材９９が当接面１０３側へ突出してしまうことを防止することができる。よって、例えば、下地材９９の端面が軽量形鋼材Ｐ（リップ部Ｐｄ又は背面板部Ｐｂ）に当接してしまうことを防止することができ、当接面１０３を軽量形鋼材Ｐ（リップ部Ｐｄ又は背面板部Ｐｂ）に確実に当接させ、突出部３２を用いた取付作業を確実に行うことができる。
【００９４】
なお、上記各実施形態は以下のように変更してもよい。
○  図１８及び図１９に示すように、第３の実施形態において、取付台座８０における突出部３２を台座本体８１に対し回動可能に形成してもよい。突出部３２は金属材料よりなり、台座本体８１に対して別体形成されている。また、突出部３２において、台座本体８１側は薄板状に形成された連結片９６よりなり、該連結片９６によって突出部３２が台座本体８１に連結されている。連結片９６にはその長さ方向に延びる細孔９６ａが形成されている。
【００９５】
そして、取付台座８０を用いて長尺物保持具９０が軽量形鋼材Ｐに設置された後、別の壁部たる側板部Ｐｃに当接した突出部３２を該側板部Ｐｃから排除するために突出部３２を回動させる。すなわち、連結片９６の基端を折り曲げ、該折り曲げ箇所を回動中心として突出部３２を台座本体８１の取付凹所８６（取付部）に向けて回動させる。このとき、前記細孔９６ａによって、突出部３２の折り曲げが容易となっている。その結果、軽量形鋼材Ｐの側板部Ｐｃ上に位置していた突出部３２を側板部Ｐｃ上から排除することができる。なお、第１の実施形態の取付台座３０や第２の実施形態の取付台座６０においても突出部３２を回動可能に形成してもよい。
【００９６】
○  取付台座３０に配線ボックス１０を取り付けた後、該取付台座３０を軽量形鋼材Ｐに固定して配線ボックス１０を軽量形鋼材Ｐに設置してもよい。
○  取付台座６０，８０，１００を軽量形鋼材Ｐに固定した後、該取付台座６０，８０，１００にボックス固定具７０、長尺物保持具９０、下地材９９を取り付けてもよい。
【００９７】
○  取付台座３０，６０，８０，１００は、当接面３３，６３，８３，１０３を軽量形鋼材Ｐの背面板部Ｐｂに当接させ、突出部３２の裏面３２Ｂを壁表側の側板部Ｐｃの前面に当接させた状態で軽量形鋼材Ｐに取り付けられてもよい。
【００９８】
○  軽量形鋼材ＰはＣ型鋼ではなく角型鋼であってもよい。
○  台座本体３１，６１，８１，１０１は、長辺方向への幅が軽量形鋼材Ｐの幅以下に形成されていてもよい。また、台座本体３１，６１，８１，１０１は、短辺方向への幅が軽量形鋼材Ｐの幅と同じであってもよい。
【００９９】
○  突出部３２に被把持部３２ｂのみを設けるとともに挿入凹所３２ｃを削除してもよく、突出部３２に挿入凹所３２ｃのみを設けるとともに被把持部３２ｂを削除してもよい。
【０１００】
○  台座本体３１，６１，８１，１０１は、台座本体３１，６１，８１，１０１における短側辺方向（一方向）に沿った長さＬが軽量形鋼材Ｐの幅より長くなっており、軽量形鋼材Ｐに固定する際に、台座本体３１，６１，８１，１０１の長さＬが軽量形鋼材Ｐの幅より短くなるように切断してもよい。この場合、台座本体３１，６１，８１，１０１は切断を容易とするために切断箇所となる位置に切り欠き等が形成されている。
【０１０１】
○  突出部３２を備えた取付台座の台座本体に、該台座本体を厚み方向へ貫通する取着孔を１つ又は複数設けたり、台座本体の取付面に取着溝を１つ又は複数凹設し、前記取着孔又は取着溝を用いて配線ボックス１０、ボックス固定具７０、長尺物保持具９０を取付台座に取り付けてもよい。例えば、配線ボックス１０、ボックス固定具７０、長尺物保持具９０（基板９２）を貫通した取付ねじを前記取着孔又は取着溝に螺入して配線ボックス１０、ボックス固定具７０又は長尺物保持具９０を台座本体に取り付ける。なお、この構成の場合、前記取着孔又は取着溝が台座本体における取付部を構成する。
【０１０２】
○  配線ボックス１０、ボックス固定具７０、長尺物保持具９０、及び下地材９９以外にも、軽量間仕切壁Ｗ内に配設され、軽量形鋼材Ｐに設置（固定）されるもの（配設体）を取付台座を用いて軽量形鋼材Ｐに設置してもよい。
【図面の簡単な説明】
【０１０３】
【図１】第１の実施形態における軽量間仕切壁を示す斜視図。
【図２】第１の実施形態の配線ボックス及び取付台座を示す斜視図。
【図３】第１の実施形態の取付台座を示す斜視図。
【図４】（ａ）は取付台座に配線ボックスを取り付けた状態を示す正面図、（ｂ）は背面図。
【図５】軽量形鋼材に取付台座を保持した状態を示す斜視図。
【図６】（ａ）は軽量形鋼材に取付台座を保持した状態を示す断面図、（ｂ）は取付台座に配線ボックスを取り付けた状態を示す断面図。
【図７】ドライバの傾動により突出部を折り曲げた状態を示す斜視図。
【図８】ペンチで突出部を把持した状態を示す斜視図。
【図９】第２の実施形態における軽量間仕切壁を示す斜視図。
【図１０】第２の実施形態の取付台座及びボックス固定具を示す斜視図。
【図１１】軽量形鋼材に取付台座を保持した状態を示す斜視図。
【図１２】第３の実施形態における軽量間仕切壁を示す斜視図。
【図１３】取付台座及び長尺物保持具を示す斜視図。
【図１４】軽量形鋼材に取付台座を保持した状態を示す斜視図。
【図１５】第４の実施形態の取付台座及び下地材を示す斜視図。
【図１６】第４の実施形態の取付台座を示す斜視図。
【図１７】軽量形鋼材に取付台座を保持した状態を示す斜視図。
【図１８】突出部の別例を示す斜視図。
【図１９】突出部を回動させた状態を示す斜視図。
【符号の説明】
【０１０４】
Ｄ…工具としてのドライバ、Ｎ…固定部材としてのねじ、Ｐ…軽量形鋼材、Ｐａ…開口部、Ｐｂ…壁部としての背面板部、Ｐｃ…別の壁部としての側板部、Ｐｄ…壁部としてのリップ部、Ｗ…軽量間仕切壁、Ｗａ…壁材、１０…配設体としての配線ボックス、３０，６０，８０，１００…取付台座、３１，６１，８１，１０１…台座本体、３１ａ，６１ａ，８１ａ，１０１ａ…端面としての前端面、３２…突出部、３２Ａ…表面、３２Ｂ…裏面、３２ｂ…分断補助部としての被把持部、３２ｃ…分断補助部としての挿入凹所、３３，６３，８３，１０３…当接面、３４，６４，８４，１０４…固定孔、３６，６６…取付部としての取付突部、３７…取付部としての係止片、５０…把持工具としてのペンチ、８６…取付部としての取付凹所、７０…配設体としてのボックス固定具、９０…配設体としての長尺物保持具、９９…配設体としての下地材、１０２…取付部としての取付板状部。
【図１】
2008082148.tif 000003
【図２】
2008082148.tif 000004
【図３】
2008082148.tif 000005
【図４】
2008082148.tif 000006
【図５】
2008082148.tif 000007
【図６】
2008082148.tif 000008
【図７】
2008082148.tif 000009
【図８】
2008082148.tif 000010
【図９】
2008082148.tif 000011
【図１０】
2008082148.tif 000012
【図１１】
2008082148.tif 000013
【図１２】
2008082148.tif 000014
【図１３】
2008082148.tif 000015
【図１４】
2008082148.tif 000016
【図１５】
2008082148.tif 000017
【図１６】
2008082148.tif 000018
【図１７】
2008082148.tif 000019
【図１８】
2008082148.tif 000020
【図１９】
2008082148.tif 000021